(57)【要約】【課題】バックアップ電池をコンパクトに装着でき、バックアップ電池の取り外し作業を容易に行えるようにした電子機器を提供する。【解決手段】メイン電池２７を収納する電池室２５と、電池室２５の壁面に設けられた開口部２５ｂと、開口部２５ｂからバックアップ電池２２を取り外し可能なようにバックアップ電池２２を保持する電池保持部２３と、電池室２５の壁面に沿うように設けられた、開口部２５ｂの一部を覆うリブ部２５ａと、を有し、開口部２５ｂは、リブ部２５ａの基端部近傍に補助開口部２５ｃを有し、電池保持部２３は、補助開口部２５ｃと対向しない位置に配置され、凹部にバックアップ電池２２を組み込んで保持するものであって、凹部の側面のリブ部２５ａに対向する位置に切欠部２３ａを有する。【選択図】図７
2012027383.tif 000002
【特許請求の範囲】
【請求項１】
メイン電池を収納する電池室と、
前記電池室の壁面に設けられた開口部と、
前記開口部からバックアップ電池を取り外し可能なように当該バックアップ電池を保持する電池保持部と、
前記電池室の壁面に沿うように設けられた、当該開口部の一部を覆うリブ部と、を有し、
前記開口部は、前記リブ部の基端部近傍に補助開口部を有し、
前記電池保持部は、前記補助開口部と対向しない位置に配置され、凹部に前記バックアップ電池を組み込んで保持するものであって、前記凹部の側面の前記リブ部に対向する位置に切欠部を有することを特徴とする電子機器。
【請求項２】
前記リブ部は、前記電池室への前記メイン電池の挿抜方向に対して斜めに設けられることを特徴とする請求項１に記載の電子機器。
【請求項３】
前記開口部は、前記電池室の電池蓋の近傍に設けられることを特徴とする請求項１または２に記載の電子機器。
【請求項４】
前記リブ部は、細板状で前記開口部を横切るように設けられていることを特徴とする請求項１ないし３のいずれか１項に記載の電子機器。
【発明の詳細な説明】
【技術分野】
【０００１】
本発明は、バックアップ電池を有する電子機器に関し、特にバックアップ電池の配置に関する。
【背景技術】
【０００２】
一般に、電子機器には、年月日と時間を制御する時計回路を備えたものがある。例えばデジタルカメラでは、年月日と時間を予め登録し、撮影した年月日と時間を撮影した画像にタグとして付加する機能を有するものがある。
【０００３】
このようなデジタルカメラでは、時計回路を駆動するためには電池が必要だが、撮影機能を制御する制御回路用の電池（以下、メイン電池とする）で時計回路を駆動すると、メイン電池の交換の際に時計が止まってしまう。このため、デジタルカメラの電子機器には、メイン電池とは別のバックアップ電池が設けられている。
【０００４】
近年では、電子機器を廃棄する際に電子機器本体内部の時計電池等のバックアップ電池を取り外してリサイクルを図ることが推奨されている。
【０００５】
しかし、電子機器には、小型化や薄型化のために、電子機器本体の内部基板上にバックアップ電池が直接半田付けされて実装されているものがある。このような電子機器では、バックアップ電池を電子機器本体から取り出すために電子機器を分解しなければならない。このため、作業者は、電子機器の外装カバーを外し、バックアップ電池が実装されている基板を分解し、バックアップ電池を取り外すという非常に手間と時間がかかる作業を強いられていた。
【０００６】
そこで、従来の電子機器では、回転操作部材であるダイヤル部に設けた収納用空間内にバックアップ電池を収め、ダイヤルの表示パネルで蓋をして、バックアップ電池を取り外し可能に構成したものが提案されている（例えば、特許文献１参照）。
【０００７】
また、従来の電子機器でヒンジ機構付きの画像表示装置を具備するものでは、ヒンジ機構付きの画像表示装置の基板にバックアップ電池を実装する。そして、この電子機器では、バックアップ電池を取り出す際に、画像表示装置のカバーを外し、バックアップ電池を取り外す。これにより、この電子機器では、分解作業が困難な電子機器本体の外装カバーを外すことなく、バックアップ電池を取り外すことができるように構成されたものが提案されている（例えば、特許文献２参照）。
【先行技術文献】
【特許文献】
【０００８】
【特許文献１】特開２００７−２９８８４６号公報
【特許文献２】特開２００７−０３６７９２号公報
【発明の概要】
【発明が解決しようとする課題】
【０００９】
しかし、前述したダイヤル等の回転操作部材に設けた収納空間にバックアップ電池を収納する構成では、電子機器に回転操作部材が設けられていることが前提となる。近年では、電子機器の小型化、薄型化の要望が高く、回転操作部材を設けること自体が大型化に繋がってしまうし、デザインの制限にも繋がるので、適用可能な電子機器が限定されてしまう。
【００１０】
また、電子機器に装着されたヒンジ付き画像表示装置にバックアップ電池を内蔵する構成では、外装カバーを外してバックアップ電池を取り外す作業に手間が掛かる。また、この構成では、電気機器に、ヒンジ付き画像表示装置を搭載することが前提となり、ヒンジ付き画像表示装置自体が大型化してしまうという問題がある。
【００１１】
そこで、本発明は、常時使用されるバックアップ電池をコンパクトに装着でき、バックアップ電池を取り外す作業を容易に行うことができる電子機器を提供することを目的とする。
【課題を解決するための手段】
【００１２】
上記目的を達成するために、本発明の電子機器は、メイン電池を収納する電池室と、前記電池室の壁面に設けられた開口部と、前記開口部からバックアップ電池を取り外し可能なように当該バックアップ電池を保持する電池保持部と、前記電池室の壁面に沿うように設けられた、当該開口部の一部を覆うリブ部と、を有し、前記開口部は、前記リブ部の基端部近傍に補助開口部を有し、前記電池保持部は、前記補助開口部と対向しない位置に配置され、凹部に前記バックアップ電池を組み込んで保持するものであって、前記凹部の側面の前記リブ部に対向する位置に切欠部を有することを特徴とする。
【発明の効果】
【００１３】
本発明によれば、常時使用されるバックアップ電池を、電子機器に対してコンパクトに装着できる。これと共に、バックアップ電池を取り外す作業を容易に行うことができる。
【図面の簡単な説明】
【００１４】
【図１】（ａ）は、本発明の実施の形態に係わる電子機器全体を正面から見た斜視図、（ｂ）は、その電子機器全体を背面から見た斜視図である。
【図２】本発明の実施の形態に係わる電子機器の外装カバーを外した状態を示す正面図である。
【図３】本発明の実施の形態に係わる電子機器におけるバックアップ電池ユニットの部分を取り出して示す要部拡大斜視図である。
【図４】本発明の実施の形態に係わる電子機器における電池室の部分を取り出して示す要部拡大斜視図である。
【図５】図２のＦ−Ｆ´線の矢視による要部拡大断面図である。
【図６】（ａ）は、本発明の実施の形態に係わる電子機器で、電池蓋閉じた状態での電池蓋付近の底面から見た斜視図、（ｂ）は、その電池蓋をスライドした状態での電池蓋付近の底面から見た斜視図、（ｃ）は、その電池蓋を開いた状態での電池蓋付近の底面から見た斜視図である。
【図７】本発明の実施の形態に係わる電子機器で電池蓋を開いた状態を示す要部拡大斜視図である。
【図８】（ａ）は、本発明の実施の形態に係わる電子機器でバックアップ電池を取り出せるようにする作業を示す斜視図、（ｂ）は、本発明の電子機器でバックアップ電池を取り出せるようにした状態を示す斜視図である。
【発明を実施するための形態】
【００１５】
以下、本発明の実施の形態について図面を参照しながら説明する。
【００１６】
図１（ａ）及び（ｂ）は、本発明の実施の形態に係わる電子機器としてのデジタルカメラの外観を示す斜視図で、１は、撮影準備及び撮影開始を指示するためのレリーズボタンである。また、この図１（ａ）及び（ｂ）で、２は、ズームレバーであり、光学式変倍機能或いはデジタル式変倍機能において、その倍率を調節操作するためのものである。このズームレバー２は、レリーズボタン１の中心に対し所定の角度まで回動可能に構成されている。
【００１７】
この図１（ａ）及び（ｂ）で、３はデジタルカメラの電源のＯＮ、ＯＦＦ機能を持つ電源ボタン、４は撮影モードを切り替えるモードレバー、５は焦点位置を正確に知るためのＡＦ補助光窓である。さらに、この図１（ａ）及び（ｂ）で、６は閃光発光部、７は鏡筒レンズである。また、この図１（ａ）及び（ｂ）で、８は撮影したデータを記録するためのメモリーカード挿入口を覆うメモリーカードカバーであり、９は電池蓋である。このメモリーカードカバー８及び電池蓋９は、カメラ本体に対して、スライド及び回動動作を行って開閉可能に装着されている。この電池蓋９は、デジタルカメラに設けられたメイン電池２７を収納する電池室の出入口を開閉可能に装着されている。
【００１８】
この図１（ａ）及び（ｂ）で、１０はスピーカー穴、１１は撮影画像の確認・再生、撮影条件等の各種情報を表示するための液晶表示装置、１２はコネクタカバー、１３はストラップを通すためストラップ穴である。
【００１９】
この図１（ａ）及び（ｂ）に示すように、このデジタルカメラは、操作ボタン群１４〜１８を備える。これら操作ボタン群は、中央のボタンと周囲のボタンから構成されており、撮影時や画像再生時に各種設定をする際に使用する。
【００２０】
次に、この電池蓋９の構成について、図６（ａ）乃至図６（ｃ）を参照して説明する。
【００２１】
この電池蓋９は、デジタルカメラに設けられたメイン電池２７を収納する凹部である電池室２５の出入口を開閉可能に装着されている。この電池蓋９は、その基端部を、図６（ｃ）に示すように、カメラ本体に対して、所定距離スライド可能でかつ回動して開閉可能に装着されている。
【００２２】
この電池蓋９には、図６（ｃ）に示すように、その自由端部の内側に、電池蓋９の基端部側に向けて突出する突片である爪９ｅ、９ｄが配設されている。これら爪９ｅ、９ｄは、カメラ本体の電池室２５の開口近くに形成された係止部２５ｃ、２５ｄに対して、電池蓋９が矢印Ｂ方向又は逆方向にスライドされることにより着脱可能に構成されている。
【００２３】
この電池蓋９は、図６（ａ）に示す状態のとき、その爪９ｅ、９ｄが電池室２５の係止部２５ｃ、２５ｄに係止して、電池蓋９が矢印Ｃの方向へ回転して開くことを制止する。
【００２４】
また、この電池蓋９は、図６（ｂ）に示す状態にスライドされたときに、その爪９ｅ、９ｄが電池室２５の係止部２５ｃ、２５ｄから離脱して、電池蓋９が矢印Ｃの方向へ回転して図６（ｃ）に示す状態に開く動作を行える。この電池蓋９では、電池蓋９が図６（ｂ）の位置までスライド移動したときに、トーションばね２８の付勢力によって矢印Ｃの方向へと回動され、自動的に図６（ｃ）に示す開いた状態となる。
【００２５】
この電池蓋９が開いた状態では、電池ロック２９を回転させてメイン電池２７から離脱させると、メイン電池２７はデジタルカメラ本体の電池室２５内に配置した図示しない排出バネの付勢力により矢印Ｄの方向へ押し出されて排出される。
【００２６】
また、デジタルカメラ本体の電池室２５内にメイン電池２７を収納する場合には、電池ロック２９を退避させた状態で、メイン電池２７を排出バネの付勢力に抗して押し込む。そして、電池ロック２９を係止位置へ回転させてメイン電池２７に係止させることにより、メイン電池２７は、収納状態で保持される。この収納状態で電池蓋９を閉じれば、収納作業は、完了される。
【００２７】
このデジタルカメラでは、図２に示すように、バックアップ電池ユニット２１を、デジタルカメラ本体におけるメイン電池２７を収納する電池室２５内における電池蓋９の近くに配置している。
【００２８】
このバックアップ電池ユニット２１は、図３に示すように、基板２４にバックアップ電池ホルダ２３を実装して凹部が形成された電池保持部に、バックアップ電池２２を組み込んで保持するように構成されている。このバックアップ電池ホルダ２３は、その端子２４ａ、２４ｂを基板２４に半田付けされている。
【００２９】
このバックアップ電池ホルダ２３は、保持部内に保持しているバックアップ電池２２を、図３の矢印Ａ方向（紙面の奥行き方向であるメイン電池側方向）に引き出して取り外せるように構成されている。
【００３０】
上述のように構成されたバックアップ電池ユニット２１は、電池室２５の開口近くの壁面における所定箇所に形成された組み込み穴２５ｂ内に収納される。
【００３１】
この組み込み穴２５ｂは、バックアップ電池ユニット２１のバックアップ電池ホルダ２３と相似形で一回り大きな開口に形成されている。すなわち、電池室２５の内壁面には、バックアップ電池２２を取り出し可能にする取り出し用の開口部が穿設されている。
【００３２】
この組み込み穴２５ｂの組み込み穴２５ｂ内側の取り出し用の開口部分には、図４に示すように、開口を横切るように薄肉の細板状に形成されたリブ部２５ａが架設されている。
【００３３】
この組み込み穴２５ｂには、リブ部２５ａが無い開口側（メイン電池側と逆側）からバックアップ電池２２を取り付けたバックアップ電池ホルダ２３を嵌め込んで組み付けられる。これにより、バックアップ電池ホルダ２３に収納されたバックアップ電池２２は、図５に示すように、バックアップ電池２２のメイン電池側の面を横切るように配置されたリブ部２５ａによって、電池室２５の中に脱落しないように保持される。これと共に、バックアップ電池２２は、メイン電池側と逆の裏面側を基板２４によって保持され、その周囲をバックアップ電池ホルダ２３に保持されるので、バックアップ電池２２が収納状態に保たれる。よって、バックアップ電池２２は、電子機器本体に落下衝撃等が加わっても、バックアップ電池２２がリブ部２５ａに保持されるので、組み込み穴２５ｂ内に脱落することを抑制できる。
【００３４】
ここで、電池室２５の内部に形成されたリブ部２５ａは、その長手方向が、メイン電池２７の排出方向Ｅと挿入方向Ｄとに対して、斜行する方向に形成されている。このため、メイン電池２７の挿入時にリブ部２５ａの側面厚み部分が、メイン電池２７の角部に直交する状態で当たって引っ掛かり、操作感が悪くなることを抑制できる。
【００３５】
図３及び図７に示すように、バックアップ電池ホルダ２３には、リブ部２５ａの両端部にそれぞれ対応した箇所をバックアップ電池２２の側面部を露呈させるよう一部切欠してバックアップ電池２２を外すための切欠部２３ａが形成されている。すなわち、切欠部２３ａはバックアップ電池ホルダ２３の凹部の側面のリブ部２５ａに対向する位置に設けられている。
【００３６】
さらに図７に示すように、この切欠部２３ａに対応した電池室２５の壁面箇所には、リブ部２５ａの基端部近傍から組み込み穴２５ｂの周部を開口が拡張されるように略Ｕ字状に切欠して、補助開口部２５ｃを形成する。すなわち、補助開口部２５ｃと対向しない位置にバックアップ電池ホルダ２３が配置されている。
【００３７】
このように構成した場合には、図７に示すように、作業者が、補助開口部２５ｃと切欠部２３ａとを通して、電池室２５内にあるバックアップ電池２２の周縁部分である側面部２２ａを見通すことができる。また、このように構成した場合には、工具の先端部を、補助開口部２５ｃと切欠部２３ａとを通し露呈しているバックアップ電池２２の側面部２２ａに押し当てて、バックアップ電池２２を取り外す作業を容易に行える。
【００３８】
次に、デジタルカメラ本体からバックアップ電池２２を取り出す場合について説明する。
【００３９】
このデジタルカメラでは、電池室２５からメイン電池２７を取り出すと、図７に示すように電池室２５の開口付近に、バックアップ電池２２を収納したバックアップ電池ホルダ２３が露出される状態となる。この状態では、バックアップ電池２２が、リブ部２５ａで押さえられているため、取り出すことができない状態である。
【００４０】
ここで、バックアップ電池２２を取り出す場合に、図８（ａ）に示すように、まず、作業者は、ドライバなどの工具３０の先端部を、補助開口部２５ｃに差込む。そして、作業者は、てこの原理で電池室２５の側面を支点として、工具３０をＧ方向に交互に動かし、図８（ｂ）に示すように、リブ部２５ａを破壊する。このように補助開口部２５ｃが設けられている場合には、リブ部２５ａを破壊するための工具３０が入り込む隙間があるので、無理な力がかかること無く、容易にリブ部２５ａを破壊することができる。
【００４１】
さらに、リブ部２５ａの長手方向がメイン電池２７の挿抜方向に対して斜めになるように構成されているので、工具３０を補助開口部２５ｃに挿入する操作を容易にできる。これと共に、作業者は、工具３０を、電池室２５の側面の一部を支点として、てこの原理で操作することにより、容易にリブ部２５ａを破壊することができる。
【００４２】
次に、作業者は、ドライバなどの工具３０を切欠部２３ａに通してバックアップ電池２２の側面部２２ａをこじるようにして、バックアップ電池２２をバックアップ電池ホルダ２３から取り出す。
【００４３】
また、本実施の形態に係わる電子機器としてのデジタルカメラでは、基板に実装したバックアップ電池ホルダ２３及びバックアップ電池２２を、電池室２５に埋没させて配置している。このように構成した場合には、バックアップ電池２２の部品高さを電池室２５内に収めることができ、電子機器本体の厚さを薄くすることが可能となる。
【００４４】
さらに、バックアップ電池ホルダ２３からバックアップ電池２２取り出す方向を、メイン電池２７側に向けることで、電池室２５内部からバックアップ電池２２を外すことができる。よって、電子機器としてのデジタルカメラの外装を分解すること無く、容易にバックアップ電池２２を取り外すことができる。すなわち、この電子機器としてのデジタルカメラでは、外装カバーを外す手間を掛けずに、またバックアップ電池ホルダ２３が実装されている基板を露出させること無く、安全にバックアップ電池２２を取り外すことができる。
【００４５】
さらに、この電子機器としてのデジタルカメラでは、組み込み穴２５ｂを電池蓋９の近傍に設け、バックアップ電池２２を電池室２５の開口付近で、電池蓋９が開くと露出する位置に配置する。
【００４６】
これにより、電池室２５の奥まった箇所にバックアップ電池ユニット２１を配置するのと比較して、ドライバなどの工具３０で容易にリブ部２５ａを破壊し、より簡単にバックアップ電池２２を取り出すことができる。
【００４７】
また、電池室２５に設けられたリブ部２５ａは、バックアップ電池ホルダ２３の外周壁のバックアップ電池２２を外すために一部切り欠かれている切欠部２３ａに配置して構成されている。このように構成した場合には、バックアップ電池２２が、バックアップ電池ホルダ２３よりも高さが低いため、バックアップ電池ユニット２１が電池室２５に埋没する量が増え、結果的に、電子機器の厚みを薄くすることが可能となる。
【００４８】
さらに、この電池室２５では、バックアップ電池２２を取り出すために、リブ部２５ａを折って破壊する必要があるので、リブ部２５ａの基端部の横には、補助開口部２５ｃが穿設されている。そして、バックアップ電池２２を取り出す際には、工具３０の先端部を補助開口部２５ｃに入れ、電池室２５の側面の一部を支点として、てこの原理で、容易に破壊することができるので、その作業を容易にできる。
【００４９】
この作業の際、工具３０で破壊されたリブ部２５ａの一部は、電池室２５内で飛散しても壁に当たって電池室２５の奥側に落ちるので、破壊されたリブ部２５ａの破片が不用意に飛散することを防止できる。
【００５０】
また、電池室２５の内壁に形成されるリブ部２５ａは、その長手方向をメイン電池２７挿抜方向に対して、斜行するように構成されている。このため、メイン電池２７の挿入時にメイン電池２７が、リブ部２５ａの斜行する側面厚み部に沿って移動するので、メイン電池２７がリブ部２５ａに引っ掛って静止されることを抑制し、挿入動作をスムーズに行うことが可能となる。なお、リブ部２５ａは、組み込み穴２５ｂを完全に横切る形状ではなく、組み込み穴２５ｂの途中まで延出した形状でもよく、組み込み穴２５ｂの途中まで延出した形状のリブ部２５ａを複数設けてバックアップ電池２２の落下を防止してもよい。
【００５１】
さらに、電池室２５に形成されるリブ部２５ａのリブの長手方向をメイン電池２７の挿抜方向に対して斜行させて構成してある。このため、工具３０の先端部を補助開口部２５ｃに挿入し易いので、リブ部２５ａを折って破壊する作業を容易にできる。
【符号の説明】
【００５２】
９  電池蓋
２１  バックアップ電池ユニット
２２  バックアップ電池
２３  バックアップ電池ホルダ
２３ａ  切欠部
２４  基板
２５  電池室
２５ａ  リブ部
２５ｃ  補助開口部
【図１】
2012027383.tif 000003
【図２】
2012027383.tif 000004
【図３】
2012027383.tif 000005
【図４】
2012027383.tif 000006
【図５】
2012027383.tif 000007
【図６】
2012027383.tif 000008
【図７】
2012027383.tif 000009
【図８】
2012027383.tif 000010